(57)【特許請求の範囲】
【請求項１】
水中に含まれる溶存有害性イオンを除去する方法において、該水中に、アニオン基含有親水性高分子物質と酸性物質との混合物を含む水性液からなり、該アニオン基含有親水性高分子物質は、該水性液中に溶解せずに分散している除去剤を投入し、該アニオン基含有親水性高分子物質を水中に溶解させずに分散させ、この状態において該水中に含まれる溶存有害性イオンを不溶化させることを特徴とする有害性イオンの除去方法。
【請求項２】
該酸性物質が塩化第一鉄または塩化第二鉄である請求項１の方法。
【請求項３】
該酸性物質が鉱酸である請求項１の方法。
【請求項４】
該水中に無害性多価金属化合物を添加することからなり、該無害性多価金属化合物が、塩化第一鉄または塩化第二鉄以外の鉄塩である請求項１又は３の方法。
【請求項５】
該除去剤の添加後に、アルカリ性物質を添加し該水のｐＨを７〜１３の範囲に調節する請求項１〜４のいずれかの方法。
【請求項６】
該アルカリ性物質が水酸化ナトリウムである請求項１〜５のいずれかの方法。
【請求項７】
該水中に有害性イオン捕集剤を添加する請求項１〜６のいずれかの方法。
【請求項８】
該水中にフロックの成長促進剤を添加する請求項１〜７のいずれかの方法。
【請求項９】
該水中に凝集剤を添加する請求項１〜８のいずれかの方法。
【請求項１０】
該アニオン基含有親水性高分子物質が、（ｉ）アルギン酸もしくはその塩又は（ｉｉ）アルギン酸もしくはその塩と他のアニオン基含有親水性高分子物質との混合物からなる請求項１〜９のいずれかの方法。
【請求項１１】
該アニオン基含有親水性高分子物質が、（ｉ）ペクチン、ペクチン酸もしくはそれらの塩又は（ｉｉ）ペクチン、ペクチン酸もしくはそれらの塩と他のアニオン基含有親水性高分子物質との混合物からなる請求項１〜９のいずれかの方法。
【請求項１２】
該アニオン基含有親水性高分子物質が、（ｉ）ポリアクリル酸、アクリルアミドとアクリル酸との共重合体もしくはその塩又は（ｉｉ）ポリアクリル酸、アクリルアミドとアクリル酸との共重合体もしくはその塩と他のアニオン基含有親水性高分子物質との混合物からなる請求項１〜９のいずれかの方法。
【請求項１３】
該有害性イオン捕集剤が、水和酸化鉄もしくは鉄錆からなる請求項７〜１２のいずれかの方法。
【請求項１４】
該フロックの成長促進剤が、水和酸化鉄もしくは鉄錆からなる請求項８〜１３のいずれかの方法。
【請求項１５】
請求項１〜１４のいずれかの方法で用いる水中に含まれる溶存有害性イオンを除去するための除去剤であって、アニオン基含有親水性高分子物質と酸性物質との混合物を含む水性液からなり、該アニオン基含有親水性高分子物質は該水性液中に溶解せずに分散していることを特徴とする有害性イオン除去剤。
【請求項１６】
該酸性物質が塩化第一鉄または塩化第二鉄である請求項１５の有害性イオン除去剤。
【請求項１７】
該混合物が無害性多価金属化合物を含有し、かつ該酸性物質が塩酸で、該無害性多価金属化合物が塩化第一鉄または塩化第二鉄以外の鉄塩である請求項１５の有害性イオン除去剤。
【請求項１８】
有害性イオン捕集剤を併用する請求項１５〜１７のいずれかの有害性イオン除去剤。
【請求項１９】
フロックの成長促進剤を併用する請求項１５〜１８のいずれかの有害性イオン除去剤。
【請求項２０】
凝集剤を併用する請求項１５〜１９のいずれかの有害性イオン除去剤。
【請求項２１】
該アニオン基含有親水性高分子物質が、（ｉ）アルギン酸もしくはその塩又は（ｉｉ）アルギン酸もしくはその塩と他のアニオン基含有親水性高分子物質との混合物からなる請求項１５〜２０のいずれかの有害性イオン除去剤。
【請求項２２】
該アニオン基含有親水性高分子物質が、（ｉ）ペクチン、ペクチン酸もしくはそれらの塩又は（ｉｉ）ペクチン、ペクチン酸もしくはそれらの塩と他のアニオン基含有親水性高分子物質との混合物からなる請求項１５〜２０のいずれかの有害性イオン除去剤。
【請求項２３】
該アニオン基含有親水性高分子物質が、（ｉ）ポリアクリル酸、アクリルアミドとアクリル酸との共重合体もしくはその塩又は（ｉｉ）ポリアクリル酸、アクリルアミドとアクリル酸との共重合体もしくはその塩と他のアニオン基含有親水性高分子物質との混合物からなる請求項１５〜２０のいずれかの有害性イオン除去剤。
【請求項２４】
該有害性イオン捕集剤が、水和酸化鉄もしくは鉄錆からなる請求項１８〜２３のいずれかの有害性イオン除去剤。
【請求項２５】
該フロック成長促進剤が、水和酸化鉄もしくは鉄錆からなる請求項１９〜２４のいずれかの有害性イオン除去剤。
【発明の詳細な説明】
【０００１】
【発明の属する技術分野】
本発明は、水中の溶存有害性イオンを除去するための方法及び除去剤に関するものである。
【０００２】
【従来の技術】
従来から、水中に含まれる重金属イオン等の溶存有害性イオンの除去方法としては、水中に水酸化ナトリウムや水酸化カルシウム等のアルカリ性物質を添加して、水酸化物として沈殿させる方法が知られている。このような方法において、アルカリ性物質として水酸化ナトリウムを使用するときには、生成するスラッジ（有害性水酸化物）の発生量は少ないものの、そのスラッジ粒子が小さく分離しにくいという欠点がある。従って、これまでは、水酸化カルシウムがもっぱら使用されてきたが、この場合には、スラッジ発生量が多いという欠点がある。
また、従来から水中に含まれるフッ素イオンの除去方法としては、水中に石灰または消石灰（水酸化カルシウム）を添加して、フッ素をフッ化カルシウムとして沈殿させる方法が主流である。しかし、この方法ではフッ化カルシウムの溶解度が、１６ｍｇ／Ｌであることから、フッ素イオンを低濃度まで除去できない欠点がある。
一方、硝酸イオンの除去方法としては、従来から、生物的脱窒法やイオン交換法知られている。しかし、前者の場合、炭素源を加える必要があり、硝酸性窒素の３倍くらいのメタノールが必要となる。また後者の場合は、大量の排水処理には向いていないのと、イオン交換樹脂の再生液処理が問題になるなどの欠点がある。
【０００３】
【発明が解決しようとする課題】
本発明は、水中に含まれる溶存有害性イオンを効率よくかつ低められたスラッジ発生量で除去するための方法及びそれに用いる有害性イオン除去剤を提供することをその課題とする。
【０００４】
【課題を解決するための手段】
本発明者らは、前記課題を解決すべく鋭意研究を重ねた結果、本発明を完成するに至った。
即ち、本発明によれば、水中に含まれる有害性イオンを除去する方法において、該水中に、アニオン基含有親水性高分子物質と酸性物質との混合物からなる除去剤を粉末状又は水性液状で投入し、溶解させずに分散させ、この状態において該水中に含まれる溶存有害性イオンを不溶化させることを特徴とする有害性イオンの除去方法が提供される。
また、本発明によれば、前記方法に用いる水中に含まれる溶存有害性イオンを除去するための除去剤であって、アニオン基含有親水性高分子物質と酸性物質との混合物からなることを特徴とする有害性イオンの除去剤が提供される。
【０００５】
【発明の実施の形態】
本発明の有害性イオン除去剤（以下、単に除去剤とも言う）は、アニオン基含有親水性高分子物質と酸性物質と必要に応じての無害性多価金属化合物との混合物からなるものである。
アニオン基含有親水性高分子物質には、カルボキシル基、スルホン酸基、リン酸基等のアニオン基を含有する各種の高分子物質が包含され、天産品及び合成品のいずれも使用できるが、環境保全の点からは生分解性を有するものの使用が好ましい。このような高分子物質としては、アルギン酸、ジエランガム、キサンタンガム、トラガカントガム、ペクチン、ペクチン酸、ペクチニン酸、カラギーナン、ゼラチン、寒天、アニオン化でんぷん、アルギン酸プロピレングリコールエステル、カルボキシメチルセルロース、デンプングリコール酸、繊維素グリコール酸、デンプンリン酸、ガラクトマンナン等の多糖類及びそれらのアルカリ金属塩；ポリアクリル酸、アクリルアミドとアクリル酸との共重合体及びその金属塩；高吸水性高分子（例えば、住友化学社製、「スミカゲル」、三洋化成社製、「サンウェット」、昭和電工社製、「プレアプル」、日澱化学社製、「ＷＡＳ」等）等が挙げられる。
【０００６】
本発明では、特に、アルギン酸ナトリウムやアルギン酸カルシウムの使用が好ましいが、このものを用いる場合には、アルギン酸を構成しているマンヌマロン酸（Ｍ）とグルロン酸（Ｇ）の含有比率（モル比）［Ｍ］／［Ｇ］が、０．１〜４．０、好ましくは０．１〜３の範囲にあるものの使用が好ましい。グルロン酸の含有比率が多いもの程、フロック形成性にすぐれている。
これらのアニオン基含有親水性高分子物質は、通常、粉末状（短繊維状を含む）で用いられ、その平均粒径は、１０〜５００μｍ、好ましくは２０〜２００μｍ、より好ましくは５０〜１５０μｍである。
【０００７】
本発明において除去剤成分として用いる前記アニオン基含有親水性高分子物質は、単独又は混合物の形態で用いることができる。
【０００８】
本発明の除去剤は、酸性物質を含有する。この酸性物質には、塩化第一鉄、塩化第二鉄、および塩酸や硫酸、硝酸等の鉱酸が包含される。このような酸性物質は、アニオン基含有親水性高分子物質に対して、その高分子物質の溶解性をコントロールする等の作用を示す。酸性物質の使用割合は特に制約されず、水中に溶解する有害性イオンの種類や量及び被処理水のｐＨ等により適宜選ばれる。
【０００９】
本発明では、特に、塩化第二鉄水性液の使用が好ましいが、このものを用いる場合には、塩化第二鉄の濃度は特に制約されず、水中に溶解する金属イオンの種類や量及び被処理水のｐＨ等により適宜選ばれるが、アニオン基含有親水性高分子物質１００重量部に対して、１〜１００００重量部、好ましくは２０〜５０００重量部、より好ましくは１００〜２０００重量部の割合である。
【００１０】
本発明の除去剤は、必要に応じ、無害性の多価金属化合物を含有する。このようなものには、硫酸第１鉄、硫酸第２鉄、塩化第１鉄、塩化第２鉄、ポリ塩化第２鉄、ポリ硫酸第２鉄等の鉄塩の他、硫酸アルミニウム、塩化アルミニウム、水酸化カルシウム、塩化カルシウム、硫酸マグネシウム、塩化マグネシウム、水酸化マグネシウム等が包含される。これらの多価金属化合物はアニオン基含有親水性高分子物質に対してイオン結合やキレート結合を生成して、その高分子物質の溶解性をコントロールする作用を示す。この多価金属化合物の使用割合は特に制約されず、水中に溶解する金属イオンの種類や量及び被処理水のｐＨ等により適宜選ばれるが、一般的には、アニオン基含有親水性高分子物質１００重量部に対して、１〜１００００重量部、好ましくは２０〜５０００重量部、より好ましくは１００〜２０００重量部の割合である。
【００１１】
本発明の除去剤においては、有害性イオン捕集剤を併用することが好ましい。このようなものには、結晶性の水和酸化鉄、結晶性の水和酸化鉄と無定型の水和酸化鉄および／または鉄酸化物の混合物等からなる有害性イオン除去剤が包含される。本発明では、安価で容易に得られる点で、鉄錆が好ましく使用される。また、鉄錆としては、どの様な起源のものでも使用できるが、鉄粉１００重量部に対して１０重量部の濃塩酸を浸し，攪拌後，２〜３日放置することで得られるものをあげることができる。これらの鉄化合物はＦ−、ＮＯ３−、ＰＨＯ３２−、ＰＯ４３−、ＳＯ４２−等の有害性イオンを捕集除去する。この鉄化合物の使用割合は特に制約されず、水中に溶解する有害性イオンの種類や量及び被処理水のｐＨ等により適宜選ばれるが、一般的には、除去剤中の鉄化合物１００重量部に対して、１〜１００重量部、好ましくは１０〜１００重量部、より好ましくは１０〜５０重量部の割合である。
【００１２】
本発明の除去剤においては、フロックの成長促進剤を併用することが好ましい。このようなものには、結晶性の水和酸化鉄、結晶性の水和酸化鉄と無定型の水和酸化鉄および／または鉄酸化物の混合物等からなるものが包含される。本発明では、安価で容易に得られる点で、鉄錆が好ましく使用される。また、鉄錆としては、どの様な起源のものでも使用できるが、鉄粉１００重量部に対して１０重量部の濃塩酸を浸し，攪拌後，２〜３日放置することで得られるものをあげることができる。この鉄化合物の使用割合は特に制約されず、水中に溶解する有害性イオンの種類や量及び被処理水のｐＨ等により適宜選ばれるが、一般的には、除去剤中の鉄化合物１００重量部に対して、１〜１００重量部、好ましくは１０〜１００重量部、より好ましくは１０〜５０重量部の割合である。
【００１３】
本発明の除去剤は、粉末状又は水性液状で水中に投入分散させるが、このようにして除去剤を水中に投入分散させる場合には、それに含まれるアニオン基含有親水性物質は溶解せずに不溶性（非水溶性）の状態で存在する。
本発明による好ましい除去剤の１つの態様は、アニオン基含有親水性高分子物質と塩化第二鉄を含有する水性液である。この水性液において、その塩化第二鉄の濃度は０．００１〜４８重量％、好ましくは０．１〜４５重量％である。そのアニオン基含有親水性高分子物質の濃度は０．００００１〜５重量％、好ましくは０．０１〜５重量％である。
【００１４】
本発明による好ましい他の態様は、アニオン基含有親水性高分子物質と、酸性物質として鉱酸、および無害性多価金属化合物を含有する水性液である。この水性液において、その鉱酸の濃度は特に制約されず、水中に溶解する金属イオンの種類や量及び被処理水のｐＨ等により適宜選ばれる。
無害性多価金属化合物の濃度は０．００１〜４８重量％、好ましくは０．１〜４５重量％である。そのアニオン基含有親水性高分子物質の濃度は０．００００１〜５重量％、好ましくは０．０１〜５重量％である。
【００１５】
本発明の除去剤を用いて水中に含まれる溶存有害性イオンを除去するには、その水中に、その除去剤を投入し、アニオン基含有親水性高分子物質を溶解させずに分散させた状態で、有害性イオンを不溶化させる。この場合の有害性イオンの不溶化は、有害性イオンの種類に応じて各種の方法で行うことができる。被処理水のｐＨをその多価金属イオンが水酸化物の沈殿を生ずるようなｐＨに調整する方法や、金属イオン不溶化剤（例えば、硫化ナトリウム、有害性捕集剤等）を添加する方法等がある。本発明の除去剤においては、アルカリ性物質を添加して該水のｐＨを７〜１２に調整し、有害性イオンを不溶化するのが好ましい。このアルカリ性物質としては、特に、水酸化ナトリウムの使用が好ましい。また、有害性イオンがフッ素イオン、硝酸イオン、リン酸イオン、亜砒酸イオン、砒酸イオンの場合は添加した捕集剤や鉄水酸化物への吸着によって不溶化させることができる。
【００１６】
本発明の除去剤においては、凝集剤を併用するのが好ましい。この場合の凝集剤は、フロックの凝集に用いられているものであり、このようなものには、キトサン、塩化カルシウム、ビス（リン酸２水素）カルシウム、塩化第１鉄、塩化第２鉄、硫酸第１鉄、硫酸第２鉄、硫酸アルミニウム、ポリ塩化アルミニウム等の無機系凝集剤の他、ポリアクリルアミドのカチオン化変性物、ポリアクリル酸ジメチルアミノエチルエステル、ポリメタクリル酸ジメチルアミノエチルエステル、ポリエチレンイミン、キトサン等のカチオン性有機系凝集剤、ポリアクリルアミド等のノニオン性有機系凝集剤、ポリアクリル酸、アクリルアミドとアクリル酸との共重合体及びその塩等のアニオン性有機系凝集剤が包含される。
【００１７】
本発明が適用される排水としては、銅イオン、亜鉛イオン、ニッケルイオン、鉛イオン、クロムイオン、鉄イオン、フッ素イオン、硝酸イオン、リン酸イオン、亜リン酸イオンなどの溶存多価有害性イオンを１種又は２種以上含有する排水が挙げられる。この排水中の有害性イオンの濃度については特に制限はないし、共存する他のイオンの制限もない。
【００１８】
本発明の除去剤を用いて排水中に溶存する有害性イオンを除去する場合、その排水は酸性排水であることが好ましいが、その排水が中性やアルカリ性の場合には、あらかじめその排水のｐＨを酸性領域、通常、ｐＨ１〜７、好ましくは２〜４の範囲に調節するのが好ましい。この場合、酸性物質を含む除去剤を添加しても、所定のｐＨに調整が困難である場合は、鉱酸等の酸性物質を加えてｐＨを調整するのが好ましい。しかし、このような前以ってのｐＨ調節は必ずしも必要とはされず、本発明の場合、中性ないしアルカリ性排水には、本発明の除去剤を添加後、必要に応じてそのｐＨを、６〜１３の範囲、好ましくは７〜１２の範囲に調節することもできる。
【００１９】
被処理水のｐＨをアルカリ性領域や酸性領域に調節する場合、ｐＨ調節剤が用いられるが、このようなｐＨ調節剤としては、水酸化ナトリウム、水酸化カリウム、炭酸ナトリウム、炭酸カリウム、水酸化カルシウム等のアルカリ性物質、もしくは塩酸、硫酸、硝酸等の酸性物質が用いられる。
【００２０】
前記のようにして生成された不溶化有害性イオンを吸着もしくは取り込んだゲルは、通常固液分離可能なフロックであるが、そのフロックが十分でないときは凝集剤を添加しさらに巨大で強固なフロックにすることができる。
本発明においては、前記のようにして生成したフロックは、固液分離法により水中から分離する。この場合の固液分離法としては、濾過法や遠心分離法、沈降法等の慣用の方法を採用することができる。本発明による水中から溶存有害性イオンを除去するための処理時間は、非常に短く、通常、１時間以内、特に３０分以内、好ましくは３〜１０分である。
【００２１】
本発明を実施する場合、アニオン基含有親水性高分子物質としては、アルギン酸やそのアルカリ金属塩のような水溶性のものが使用されるが、本発明の場合、このような水溶性高分子物質でも円滑に使用することが可能である。即ち、アニオン基含有親水性高分子物質は、水溶性を示すものであっても、酸性物質及び無害性多価金属化合物との混合物として水中に投入分散することにより、その高分子物質の溶解を防止することができる。従って、本発明の場合には、その高分子物質の粉体が完全溶解しない条件下においてその有害性イオンの不溶化と固液分離を行えばよい。
本発明を実施する場合、必要に応じて、凝集剤を添加することができる。この凝集剤の添加は、水中に分散するアニオン基含有親水性高分子物質の他、有害性イオンの不溶化物を凝集させ、巨大フロックを生成させる作用を示す。
【００２２】
本発明において、酸性水中に含まれる有害性イオンを除去する場合、先ず、その酸性水中に除去剤を加え、必要に応じて、アルカリを加えて全体を撹拌する。これにより水中に含まれる有害性イオンは不溶化される。この際、水中に含まれる有害性イオンの一部は、アニオン基含有親水性高分子物質と反応して、高分子の不溶性塩を形成して沈殿を生じる。そして、この際、アニオン基含有親水性高分子物質が存在することにより、生成した有害性水酸化物のフロックをより大きく成長させることができ、これによって従来の消石灰や石灰の単独処理に比べ、カルシウムやマグネシウムの使用量を大幅に削減でき、その結果としてスラッジの大幅削減を可能にする。さらに，凝集剤を添加することにより、より巨大で、強固なフロックを沈殿させることができる。
【００２３】
本発明において、被処理原水として用いられる有害性含有排水には、半導体製造業、鉄鋼・非鉄金属業、電気機器製造業、機械器具製造業等の各種工場からの排水、メッキ工場からの排水、各種研究所からの排水等が包含される。これらの排水の大部分は有害性のイオンを含有する。本発明は、一般的には、Ｃｕ、Ｚｎ、Ｃｄ、Ｐｄ、Ａｇ、Ａｌ、Ｃｒ、Ｐｂ、Ｍｎ、Ｆｅ、Ｎｉ、Ｆ、ＮＯ３、ＨＰＯ３、ＰＯ４、ＳＯ４等の各種の各種重金属やＦ−、ＮＯ３−、ＰＨＯ３２−、ＰＯ４３−、ＳＯ４２−等の有害性イオンを含む排水の処理法として適用することができる。
【００２４】
【実施例】
次に本発明を実施例によりさらに詳細に説明する。以下の例はさらに本発明を説明しているものの、いかなる形であり、請求されている本発明の範囲を制限することを意図したものではない。
【００２５】
処理例１
塩化第二鉄（試薬）２０ｗｔ％水溶液にアルギン酸ナトリウム２．４重量％添加し３時間撹拌したところ、褐色の懸濁液となった。これを除去剤［Ｉａ］とした。この除去剤［Ｉａ］を、銅、ニッケル、鉛、亜鉛各１００ｐｐｍを含有するｐＨ２の被処理水に、塩化第二鉄として３００ｐｐｍとなるように添加し、水酸化ナトリウムでｐＨ１０とした。これに高分子凝集剤を５ｐｐｍ添加し、数分間撹拌後固液分離し、残存金属イオン濃度を測定した。その結果、銅０．０１６ｐｐｍ、ニッケル０．０３４ｐｐｍ、鉛０．０２６ｐｐｍ、亜鉛０．００６ｐｐｍであり、良好な結果が得られた。除去剤［Ｉａ］で得られたフロックは、塩化第二鉄単独処理のフロックに比べ、はるかに巨大であった。
【００２６】
処理例２
塩化第二鉄（試薬）２０ｗｔ％水溶液を８０℃以上で３時間攪拌後、アルギン酸ナトリウム２．４重量％添加し３時間撹拌したところ、褐色の懸濁液となった。これを除去剤［Ｉｂ］とした。この除去剤［Ｉｂ］を、銅、ニッケル、鉛、亜鉛各１００ｐｐｍを含有するｐＨ２の被処理水に、塩化第二鉄として３００ｐｐｍとなるように添加し、水酸化ナトリウムでｐＨ１０とした。これに高分子凝集剤を５ｐｐｍ添加し、数分間撹拌後固液分離し、残存金属イオン濃度を測定した。その結果、銅０．０１９ｐｐｍ、ニッケル０．０２９ｐｐｍ、鉛０．０２１ｐｐｍ、亜鉛０．０１５ｐｐｍであり、良好な結果が得られた。除去剤［Ｉｂ］］で得られたフロックは、塩化第二鉄単独処理のフロックに比べ、はるかに巨大であり、除去剤［Ｉａ］よりも優れていることが一瞥して分かった。
【００２７】
処理例３
塩化第二鉄（工業用）３７．５ｗｔ％水溶液を水酸化ナトリウムでｐＨ１に調整後、アルギン酸ナトリウム４．８重量％添加し３時間撹拌したところ、褐色の懸濁液となった。これを除去剤［ＩＩａ］とした。この除去剤［ＩＩａ］を、銅、ニッケル、鉛、亜鉛各１００ｐｐｍを含有するｐＨ２の被処理水に、塩化第二鉄として３００ｐｐｍとなるように添加し、水酸化ナトリウムでｐＨ１０とした。これに高分子凝集剤を５ｐｐｍ添加し、数分間撹拌後固液分離し、残存金属イオン濃度を測定した。その結果、銅０．０１７ｐｐｍ、ニッケル０．０３７ｐｐｍ、鉛０．０２３ｐｐｍ、亜鉛０．０１２ｐｐｍであり、良好な結果が得られた。除去剤［ＩＩａ］で得られたフロックは、塩化第二鉄単独処理のフロックに比べ、はるかに巨大であった。なお、水酸化ナトリウムでｐＨ１に調整しなくても同様の効果が認められた。
【００２８】
処理例４
塩化第二鉄（工業用）３７．５ｗｔ％水溶液を水酸化ナトリウムでｐＨ１に調整後、８０℃以上で３時間攪拌後、アルギン酸ナトリウム４．８重量％添加し３時間撹拌したところ、褐色の懸濁液となった。これを除去剤［ＩＩｂ］とした。この除去剤［ＩＩｂ］を、銅、ニッケル、鉛、亜鉛各１００ｐｐｍを含有するｐＨ２の被処理水に、塩化第二鉄として３００ｐｐｍとなるように添加し、水酸化ナトリウムでｐＨ１０とした。これに高分子凝集剤を５ｐｐｍ添加し、数分間撹拌後固液分離し、残存金属イオン濃度を測定した。その結果、銅０．０１８ｐｐｍ、ニッケル０．０２８ｐｐｍ、鉛０．０１９ｐｐｍ、亜鉛０．０１６ｐｐｍであり、良好な結果が得られた。除去剤［ＩＩｂ］で得られたフロックは、塩化第二鉄単独処理のフロックに比べ、はるかに巨大であり、除去剤［ＩＩａ］よりも優れていることが一瞥して分かった。なお、水酸化ナトリウムでｐＨ１に調整しなくても同様の効果が認められた。
【００２９】
処理例５
除去剤［ＩＩｂ］に、フロック成長促進剤として鉄錆１０重量％添加し、褐色の懸濁液を得た。この懸濁液を、除去剤［ＩＩＩ］とした。銅、ニッケル、鉛、亜鉛各１００ｐｐｍを含有するｐＨ２の被処理水に、塩化第二鉄として３００ｐｐｍとなるように添加し、水酸化ナトリウムでｐＨ１０とした。これに高分子凝集剤を５ｐｐｍ添加し、数分間撹拌後固液分離した。残存金属イオン濃度には、除去剤［Ｉａ、Ｉｂ］、除去剤［ＩＩａ、ＩＩｂ］との差は認められなかったが、フロックの成長促進効果が確認された。
【００３０】
除去剤［Ｉａ，Ｉｂ］、除去剤［ＩＩａ］に鉄錆を添加したときも、除去剤［ＩＩｂ］に添加したときと同様のフロック成長促進効果が認められた。
【００３１】
処理例６
除去剤［Ｉｂ］に、有害性イオン捕集剤として鉄錆１０重量％添加し、褐色の懸濁液を得た。この懸濁液を、除去剤［ＩＶ］とした。重金属イオンの除去効果は、除去剤［Ｉａ、Ｉｂ］、除去剤［ＩＩａ、ＩＩｂ］と差が認められなかった。
【００３２】
処理例７
除去剤［ＩＩｂ］の４０倍希釈液１０００ｐｐｍを、フッ素１２．８ｐｐｍ、硝酸８４．８ｐｐｍ、ＴＯＣ１２．７５ｐｐｍ含む実排水に添加後、水酸化ナトリウムでｐＨ１３に調整し、数分間撹拌後固液分離した。残存イオン濃度を測定した結果、フッ素イオン０ｐｐｍ、硝酸４６．９８ｐｐｍ、ＴＯＣ２．２４ｐｐｍで良好な結果が得られた。
【００３３】
処理例８
リン酸１０ｐｐｍ、亜リン酸１０ｐｐｍ各溶液に除去剤［ＩＶ］を塩化第二鉄とし４８ｐｐｍ添加し、数分間撹拌後、固液分離し、残存リン濃度を測定した。その結果、リン酸０ｐｐｍ、亜リン酸０．５７ｐｐｍで、リンが良く除去できた。
【００３４】
処理例９（比較例）
処理例７で、除去剤［ＩＶ］の代わりに塩化第二鉄だけを４８ｐｐｍ添加し、同様の処理を行った。その結果、残存リン濃度は、リン酸４ｐｐｍ、亜リン酸９．６ｐｐｍ、次亜リン酸１０ｐｐｍであった。
【００３５】
【発明の効果】
本発明によれば、各種の溶存有害性イオンを含む被処理水から、それに含まれる有害性イオンを高い除去率でかつ低められたスラッジ発生量で効率よく除去することができる。